(57)【特許請求の範囲】
【請求項１】
血液ポンプが配設される動脈側血液回路及び静脈側血液回路で構成されるとともに、当該血液ポンプによって患者の血液を体外循環させ得る血液回路と、
該血液回路が接続されるとともに、当該血液回路にて体外循環する患者の血液を浄化するための血液浄化器と、
該血液浄化器に透析液を導入する透析液導入ラインと、
前記血液浄化器から透析液を排出する透析液排出ラインと、
を具備した血液浄化装置において、
前記透析液導入ラインにおける所定部位から延設され、先端から空気を導入可能とされた空気導入ラインと、
該空気導入ラインの途中に配設され、当該空気導入ラインの流路を開閉可能とされた弁手段と、
前記血液回路内の血液を患者の体内に戻す返血時、前記弁手段を動作させて前記空気導入ラインの流路を開状態とするとともに、前記透析液導入ライン内の透析液を前記血液回路側に向かって供給させつつ前記血液ポンプを駆動させる制御手段と、
を備え、且つ、前記透析液導入ラインにおいて当該透析液導入ラインを流れる透析液を濾過して浄化するための濾過手段が複数接続されるとともに、各濾過手段より上流側から前記弁手段を有した前記空気導入ラインがそれぞれ延設されたことを特徴とする血液浄化装置。
【請求項２】
前記制御手段は、前記血液回路内の血液を患者の体内に戻す返血時、前記濾過手段内の透析液を前記血液回路側に向かって供給させつつ前記血液ポンプを駆動させることを特徴とする請求項１記載の血液浄化装置。
【請求項３】
前記血液ポンプは、独立して電力供給可能なバックアップバッテリで駆動可能とされたことを特徴とする請求項１又は請求項２記載の血液浄化装置。
【請求項４】
前記制御手段は、前記透析液導入ラインに接続された複数の空気導入ラインのうち上流側に接続されたものから順に開状態とさせることを特徴とする請求項１〜３の何れか１つに記載の血液浄化装置。
【請求項５】
前記透析液導入ラインにおける所定部位から延設され、先端が前記血液回路に接続された補液ラインと、
該補液ラインの途中に配設され、前記透析液導入ラインの透析液を前記血液回路まで流動させ得る補液ポンプと、
を具備するとともに、
前記制御手段は、返血時、前記補液ポンプを駆動させることにより前記補液ラインを介して前記透析液導入ライン内の透析液を前記血液回路側に向かって供給させることを特徴とする請求項１〜４の何れか１つに記載の血液浄化装置。
【請求項６】
前記透析液導入ラインにおける所定部位に前記血液回路の先端を接続可能な補液ポートを具備するとともに、前記制御手段は、返血時、当該補液ポートに接続した血液回路を介して前記透析液導入ライン内の透析液を前記血液回路側に向かって供給させることを特徴とする請求項１〜４の何れか１つに記載の血液浄化装置。
【請求項７】
前記制御手段は、返血時、前記血液浄化器の透析液流路から血液流路に向かって透析液を流動させる逆濾過を行わせ、当該逆濾過によって前記透析液導入ライン内の透析液を前記血液回路側に向かって供給させることを特徴とする請求項１〜４の何れか１つに記載の血液浄化装置。
【発明の詳細な説明】
【技術分野】
【０００１】
本発明は、血液浄化器に導入される透析液を濾過して浄化するための濾過手段を具備した血液浄化装置に関するものである。
【背景技術】
【０００２】
一般に、透析治療に使用される血液浄化装置としての透析装置は、血液回路に接続されたダイアライザ（血液浄化器）に透析液を供給するとともに、透析により老廃物を含んだ透析液をダイアライザから排出すべく透析液導入ライン及び透析液排出ラインが延設されている。これら透析液導入ライン及び透析液排出ラインは、その先端がダイアライザの透析液導入口及び透析液導出口にそれぞれ接続されるとともに、透析液導入ラインの基端が透析液供給装置に接続されてダイアライザに対する透析液の供給が行われている。
【０００３】
ところで、近時において、透析治療時にダイアライザへ供給するための透析液を血液回路側へも導き、その透析液にて血液回路等のプライミング、透析治療中の補液或いは透析治療後の返血を行わせる技術が提案されるに至っている。このような技術を採用した透析装置によれば、生理食塩液等による透析液とは別個の電解質溶液を供給する必要がなくなるため、生理食塩液を血液回路に供給するために動脈側血液回路に接続された生食ラインが不要とされ、装置構成を簡素化することができるとともに、プライミング、補液或いは返血を自動的に行わせることができ、治療工程を含めた一連の工程のオンライン化を図ることができる。尚、かかる先行技術は、文献公知発明に係るものでないため、記載すべき先行技術文献情報はない。
【発明の概要】
【発明が解決しようとする課題】
【０００４】
しかしながら、上記従来の血液浄化装置においては、生理食塩液を血液回路に供給するための生食ラインを不要とすることができるものの、停電などによって、透析装置における各種アクチュエータや該透析装置に透析液を供給する透析液供給装置が停止してしまった場合、血液回路内の血液を患者に戻す返血を行うことができないという不具合があった。然る場合、血液回路内に血液が残存した状態で透析治療を終了せざるを得ず、患者にとっては、その残存した血液が失われることとなってしまう。
【０００５】
一方、停電などにより電力供給が停止した場合を考慮して、独立して電力供給可能なバックアップバッテリを配設しておくことも考えられるが、透析装置における各種アクチュエータや該透析装置に透析液を供給する透析液供給装置の全てに電力供給可能なバックアップバッテリを常備しておくのは困難である。現状においては、停電時、例えば血液ポンプや補液ポンプに対して独立して電力供給させるバックアップバッテリが提案されているに過ぎないのが実情である。尚、上記の如き不具合は、停電時に限らず、例えば透析液供給装置や複式ポンプ等の透析液を血液回路側に送るアクチュエータが故障したことなどに起因して、血液浄化装置に対する透析液の供給が停止してしまったときでも同様に生じ得る。
【０００６】
本発明は、このような事情に鑑みてなされたもので、透析液の供給が停止してしまっても良好に返血させることができる血液浄化装置を提供することにある。
【課題を解決するための手段】
【０００７】
請求項１記載の発明は、血液ポンプが配設される動脈側血液回路及び静脈側血液回路で構成されるとともに、当該血液ポンプによって患者の血液を体外循環させ得る血液回路と、該血液回路が接続されるとともに、当該血液回路にて体外循環する患者の血液を浄化するための血液浄化器と、該血液浄化器に透析液を導入する透析液導入ラインと、前記血液浄化器から透析液を排出する透析液排出ラインとを具備した血液浄化装置において、前記透析液導入ラインにおける所定部位から延設され、先端から空気を導入可能とされた空気導入ラインと、該空気導入ラインの途中に配設され、当該空気導入ラインの流路を開閉可能とされた弁手段と、前記血液回路内の血液を患者の体内に戻す返血時、前記弁手段を動作させて前記空気導入ラインの流路を開状態とするとともに、前記透析液導入ライン内の透析液を前記血液回路側に向かって供給させつつ前記血液ポンプを駆動させる制御手段とを備え、且つ、前記透析液導入ラインにおいて当該透析液導入ラインを流れる透析液を濾過して浄化するための濾過手段が複数接続されるとともに、各濾過手段より上流側から前記弁手段を有した前記空気導入ラインがそれぞれ延設されたことを特徴とする。
【０００８】
請求項２記載の発明は、請求項１記載の血液浄化装置において、前記制御手段は、前記血液回路内の血液を患者の体内に戻す返血時、前記濾過手段内の透析液を前記血液回路側に向かって供給させつつ前記血液ポンプを駆動させることを特徴とする。
【０００９】
請求項３記載の発明は、請求項１又は請求項２記載の血液浄化装置において、前記血液ポンプは、独立して電力供給可能なバックアップバッテリで駆動可能とされたことを特徴とする。
【００１２】
請求項４記載の発明は、請求項１〜３の何れか１つに記載の血液浄化装置において、前記制御手段は、前記透析液導入ラインに接続された複数の空気導入ラインのうち上流側に接続されたものから順に開状態とさせることを特徴とする。
【００１３】
請求項５記載の発明は、請求項１〜４の何れか１つに記載の血液浄化装置において、前記透析液導入ラインにおける所定部位から延設され、先端が前記血液回路に接続された補液ラインと、該補液ラインの途中に配設され、前記透析液導入ラインの透析液を前記血液回路まで流動させ得る補液ポンプとを具備するとともに、前記制御手段は、返血時、前記補液ポンプを駆動させることにより前記補液ラインを介して前記透析液導入ライン内の透析液を前記血液回路側に向かって供給させることを特徴とする。
【００１４】
請求項６記載の発明は、請求項１〜４の何れか１つに記載の血液浄化装置において、前記透析液導入ラインにおける所定部位に前記血液回路の先端を接続可能な補液ポートを具備するとともに、前記制御手段は、返血時、当該補液ポートに接続した血液回路を介して前記透析液導入ライン内の透析液を前記血液回路側に向かって供給させることを特徴とする。
【００１５】
請求項７記載の発明は、請求項１〜４の何れか１つに記載の血液浄化装置において、前記制御手段は、返血時、前記血液浄化器の透析液流路から血液流路に向かって透析液を流動させる逆濾過を行わせ、当該逆濾過によって前記透析液導入ライン内の透析液を前記血液回路側に向かって供給させることを特徴とする。
【発明の効果】
【００２５】
請求項１の発明によれば、血液回路内の血液を患者の体内に戻す返血時、透析液導入ライン内の透析液を血液回路側に向かって供給させつつ血液ポンプを駆動又は動作させることにより、当該透析液導入ライン内の透析液を利用して返血を行うことができるので、血液浄化装置等に対する透析液の供給が停止してしまっても良好に返血させることができる。
また、返血時、弁手段を動作させて空気導入ラインの流路を開状態とするので、透析液導入ライン内の透析液を血液回路側に向かって供給させる際、既存の装置構成を流用しつつ、より確実且つスムーズな透析液の供給を行わせて返血させることができる。
さらに、透析液導入ラインにおいて当該透析液導入ラインを流れる透析液を濾過して浄化するための濾過手段が複数接続されるとともに、各濾過手段より上流側から弁手段を有した空気導入ラインがそれぞれ延設されたので、濾過手段内の透析液を血液回路側に向かって供給させる際、より大量の透析液を血液回路に供給させることができ、一層確実に返血を行わせることができる。
【００２６】
請求項２の発明によれば、血液回路内の血液を患者の体内に戻す返血時、前記濾過手段内の透析液を血液回路側に向かって供給させつつ血液ポンプを駆動又は動作させるので、血液浄化装置等に対する透析液供給が停止してしまってもより一層良好に返血させることができる。
【００２７】
請求項３の発明によれば、血液ポンプは、独立して電力供給可能なバックアップバッテリで駆動又は手動で動作可能とされたので、血液浄化装置等に対する透析液の供給が停止してしまっても制御手段による血液ポンプの駆動を確実に行わせることができ、より良好な返血を行わせることができる。
【００３０】
請求項４の発明によれば、透析液導入ラインに接続された複数の空気導入ラインのうち上流側に接続されたものから順に開状態とさせるので、大量の透析液を血液回路に供給させることができるとともに確実且つスムーズに透析液の血液回路に対する供給を行わせることができる。
【００３１】
請求項５の発明によれば、返血時、補液ポンプを駆動又は動作させることにより補液ラインを介して透析液導入ライン内の透析液を血液回路側に向かって供給させるので、血液浄化装置等に対する透析液の供給が停止してしまっても、補液ラインを利用した返血を行わせることができる。
【００３２】
請求項６の発明によれば、返血時、当該補液ポートに接続した血液回路を介して透析液導入ライン内の透析液を血液回路側に向かって供給させるので、血液浄化装置等に対する透析液の供給が停止してしまっても、補液ポートを利用した返血を行わせることができる。
【００３３】
請求項７の発明によれば、返血時、血液浄化器の透析液流路から血液流路に向かって透析液を流動させる逆濾過を行わせ、当該逆濾過によって透析液導入ライン内の透析液を血液回路側に向かって供給させるので、補液ラインや補液ポートを有さない血液浄化装置に適用した場合であっても、血液浄化装置等に対する透析液の供給が停止してしまっても良好に返血させることができる。
【図面の簡単な説明】
【００３４】
【図１】本発明の第１の実施形態に係る血液透析装置を示す模式図
【図２】同血液透析装置で適用される濾過フィルタ（濾過手段）を示す模式図
【図３】同血液浄化装置における返血時の状態を示す模式図
【図４】同血液浄化装置における返血時の状態を示す模式図
【図５】本発明の第２の実施形態に係る血液透析装置を示す模式図
【図６】同血液浄化装置における返血時の状態を示す模式図
【図７】同血液浄化装置における返血時の状態を示す模式図
【図８】本発明の第３の実施形態に係る血液透析装置を示す模式図
【図９】同血液浄化装置における返血時の状態を示す模式図
【図１０】同血液浄化装置における返血時の状態を示す模式図
【図１１】本発明の第４の実施形態に係る血液透析装置を示す模式図
【図１２】同血液浄化装置における返血時の状態を示す模式図
【図１３】同血液浄化装置における返血時の状態を示す模式図
【図１４】本発明の第５の実施形態に係る血液透析装置を示す模式図
【図１５】同血液浄化装置における返血時の状態を示す模式図
【図１６】同血液浄化装置における返血時の状態を示す模式図
【図１７】本発明で適用され得る他の形態の濾過フィルタ（濾過手段）を示す模式図
【発明を実施するための形態】
【００３５】
以下、本発明の実施形態について図面を参照しながら具体的に説明する。
第１の実施形態に係る血液浄化装置は、血液透析装置に適用されたもので、図１に示すように、動脈側血液回路１ａ及び静脈側血液回路１ｂから成る血液回路１と、血液浄化器としてのダイアライザ４と、透析液導入ラインＬ１及び透析液排出ラインＬ２と、濾過手段としての濾過フィルタ７ａ、７ｂと、空気導入ラインＬａ、Ｌｂと、弁手段としての電磁弁Ｖａ、Ｖｂと、制御手段１０と、補液ラインＬ３とから主に構成されている。尚、図中符号Ａは、本血液透析装置における装置本体を示している。
【００３６】
ダイアライザ４は、体外循環する患者の血液を浄化するためのもので、不図示の血液浄化膜（本実施形態においては中空糸膜であるが半透膜及び濾過膜を含む）を内在している。また、ダイアライザ４は、血液を導入する血液導入口４ａ及び導入した血液を導出する血液導出口４ｂが形成されるとともに、透析液導入ラインＬ１の先端が接続されて透析液を導入する透析液導入口４ｃ、及び透析液排出ラインＬ２の先端が接続されて導入した透析液を排出する透析液排出口４ｄが形成されている。しかして、中空糸膜を介して血液導入口４ａから導入した血液に透析液を接触させて血液浄化作用を施すことができる。
【００３７】
血液導入口４ａ及び血液導出口４ｂには、血液ポンプ２が配設された動脈側血液回路１ａ及びエアトラップチャンバ３が接続された静脈側血液回路１ｂがそれぞれ接続されており、動脈側穿刺針ａ及び静脈側穿刺針ｂを患者に穿刺しつつ血液ポンプ２を駆動させることにより、患者の血液を体外循環させ得るようになっている。また、体外循環の過程において、ダイアライザ４にて浄化された血液は、エアトラップチャンバ３にて除泡が施された後に患者の体内に戻される。尚、血液ポンプ２は、しごき型のポンプ（正転させると動脈側血液回路１ａを構成する可撓性チューブをしごいて血液を動脈側穿刺針ａ側からダイアライザ４の血液導入口４ａの方向に流動させる構成のもの）である。
【００３８】
一方、透析液導入ラインＬ１及び透析液排出ラインＬ２の基端側には、それぞれ透析液供給装置（透析液供給源）及び透析液排出手段（何れも不図示）が接続されるとともに、これら透析液導入ラインＬ１及び透析液排出ラインＬ２に跨って複式ポンプ５（或いはこれに代えてチャンバ等であってもよい）が配設されている。そして、複式ポンプ５を動作させることにより、透析液導入ラインＬ１を介して透析液供給装置からダイアライザ４に対して調製された透析液を供給するとともに、透析液排出ラインＬ２を介してダイアライザ４から排出された透析液が透析液排出手段に至るよう構成されている。
【００３９】
また、透析液排出ラインＬ２には、複式ポンプ５をバイパスするバイパスラインＬ４、Ｌ５がそれぞれ形成されており、バイパスラインＬ４には、ダイアライザ４中を流れる患者の血液から水分を除去するための除水ポンプ６が配設されるとともに、バイパスラインＬ５には、流路を開閉可能な電磁弁Ｖ６が配設されている。尚、透析液排出ラインＬ２におけるダイアライザ４の透析液排出口４ｄ近傍には、流路を開閉可能な電磁弁Ｖ３が配設されている。
【００４０】
更に、透析液導入ラインＬ１には、濾過フィルタ７ａ、７ｂが接続されるとともに、電磁弁Ｖ１、Ｖ２及び補液ポート９が接続されている。濾過フィルタ７ａ、７ｂは、透析液導入ラインＬ１を流れる透析液を濾過して浄化するためのものであり、濾過膜７ａａ、７ｂａを介して被濾過透析液（濾過されるべき透析液）が流動する１次室７ａｂ、７ｂｂと濾過透析液（濾過された後の透析液）が流動する２次室７ａｃ、７ｂｃとを具備したものである。
【００４１】
また更に、濾過フィルタ７ａ、７ｂからは透析液排出ラインＬ２にバイパスして透析液を導くためのバイパスラインＬ６、Ｌ７がそれぞれ形成されており、これらバイパスラインＬ６、Ｌ７には、それぞれ電磁弁Ｖ４、Ｖ５が接続されている。尚、透析液導入ラインＬ１における濾過フィルタ７ａと濾過フィルタ７ｂとの間、及び濾過フィルタ７ｂとダイアライザ４との間には、それぞれ電磁弁Ｖ１、Ｖ２が接続されているとともに、濾過フィルタ７ｂと電磁弁Ｖ２との間には、補液ポート９が接続されている。
【００４２】
より具体的に説明すると、濾過フィルタ７ａ、７ｂは、図２に示すように、濾過膜７ａａ、７ｂａとしての複数の中空糸を内在した筒状のハウジング１１と、該ハウジング１１の両端面に液密状に固定された蓋部材１２及び１３とから主に構成されている。蓋部材１２には透析液を導入する導入口１２ａが形成されるとともに、蓋部材１３には、透析液を導出する第１導出口１３ａ及び第２導出口１３ｂがそれぞれ形成されている。
【００４３】
上記ハウジング１１と蓋部材１２及び１３とは、共に樹脂成形品から成り、ハウジング１１の両端部にそれぞれ超音波溶着などにて蓋部材１２及び１３を固定し、これらを一体的に形成したものである。このうちハウジング１１に内在する濾過膜７ａａ、７ｂａとしての中空糸は、一般的な中空糸型ダイアライザが内在する中空糸と同様のものでもよいが、フィルタとしての濾過性能を高めたものが好ましい。尚、中空糸は、膜の厚み方向に極微小な孔を有する半透膜となっている。
【００４４】
かかる構成により、導入口１２ａから導入された透析液が中空糸膜を介して外部（ハウジング１１内）に透過されることにより、当該透析液を濾過（フィルタリング）することができる。即ち、中空糸（濾過膜７ａａ、７ｂａ）内部が被濾過透析液を流動させる１次室７ａｂ、７ｂｂ、当該中空糸の外周面とハウジング１１の内周面との間の空間が濾過透析液を流動させる２次室７ａｃ、７ｂｃとなっているのである。
【００４５】
然るに、導入口１２ａで導かれた透析液のうち、濾過されて清浄化された透析液は、１次室７ａｂ、７ｂｂから２次室７ａｃ、７ｂｃに至り第１導出口１３ａから導出され、ダイアライザ４に供給されるとともに、濾過されなかった透析液が、１次室７ａｂ、７ｂｂを介して第２導出口１３ｂから導出され、バイパスラインＬ６、Ｌ７を流動することも可能としている。尚、同図中符号１４は、複数の中空糸を束ねた状態にて固着するための封止剤を示している。
【００４６】
空気導入ラインＬａは、透析液導入ラインＬ１における濾過フィルタ７ａより上流側の所定部位（複式ポンプ５と濾過フィルタ７ａとの間の部位）から延設され、先端が大気開放とされて当該先端から空気を導入可能とされたものであり、空気導入ラインＬｂは、透析液導入ラインＬ１における濾過フィルタ７ｂより上流側の所定部位（電磁弁Ｖ１と濾過フィルタ７ｂとの間の部位）から延設され、先端が大気開放とされて当該先端から空気を導入可能とされたものである。これら空気導入ラインＬａ、Ｌｂの途中には、それぞれ電磁弁Ｖａ、Ｖｂ（弁手段）が配設されており、これら電磁弁Ｖａ、Ｖｂによって空気導入ラインＬａ、Ｌｂの流路が任意選択的に開閉可能とされている。
【００４７】
補液ラインＬ３は、透析液導入ラインＬ１における濾過フィルタ７ａ、７ｂより下流側の所定部位（本実施形態においては、透析液導入ラインＬ１に接続された補液ポート９）にから延設され、先端が血液回路１（本実施形態においては、動脈側血液回路１ａにおける血液ポンプ２とダイアライザ４との間）に接続されている。かかる補液ラインＬ３の途中には、透析液導入ラインＬ１の透析液を血液回路１（動脈側血液回路１ａ）まで流動させ得る補液ポンプ８が配設されている。この補液ポンプ８は、血液ポンプ２と同様、しごき型のポンプ（正転させると補液ラインＬ３を構成する可撓性チューブをしごいて透析液を透析液導入ラインＬ１側から血液回路１の動脈側血液回路１ａの方向に流動させる構成のもの）である。
【００４８】
ここで、本実施形態においては、血液ポンプ２、補液ポンプ８及び電磁弁Ｖａ、Ｖｂ、Ｖ１〜Ｖ６がバックアップバッテリＢと接続されており、停電などにより装置本体Ａやその上流側の透析液供給装置等に対する電力供給が停止しても、これら血液ポンプ２、補液ポンプ８及び電磁弁Ｖａ、Ｖｂ、Ｖ１〜Ｖ６に対し、独立して電力供給が可能とされている。このバックアップバッテリＢは、停電時に電力供給が自動的に切換可能とされたもの、或いは手動で切換可能とされたものの何れであってもよく、自己発電可能なもの等であってもよい。
【００４９】
制御手段１０は、バックアップバッテリＢにて作動可能な例えばマイクロコンピュータ等から成るもので、停電などにより装置本体Ａやその上流側の透析液供給装置等に対する電力供給が停止した状態において、血液回路１（動脈側血液回路１ａ及び静脈側血液回路１ｂ）内の血液を患者の体内に戻す返血時、濾過フィルタ７ａ、７ｂ内の透析液を血液回路１側に向かって供給させつつ血液ポンプ２を駆動させるためのものである。本実施形態においては、制御手段１０は、返血時、弁手段としての電磁弁Ｖａ、Ｖｂを動作させて空気導入ラインＬａ、Ｌｂの流路を開状態とするものである。
【００５０】
即ち、本実施形態においては、透析液導入ラインＬ１において濾過フィルタ（７ａ、７ｂ）が複数（本実施形態においては２つ）接続されるとともに、各濾過手段（７ａ、７ｂ）より上流側から電磁弁Ｖａ、Ｖｂ（弁手段）を有した空気導入ラインＬａ、Ｌｂがそれぞれ延設された構成とされており、制御手段１０は、透析液導入ラインＬ１に接続されたこれら複数の空気導入ラインＬａ、Ｌｂのうち上流側（図１中左側）に接続されたものから順に開状態とさせるものとされている。
【００５１】
より具体的には、停電などにより装置本体Ａやその上流側の透析液供給装置等に対する電力供給が停止した状態において、血液回路１（動脈側血液回路１ａ及び静脈側血液回路１ｂ）内の血液を患者の体内に戻す返血時、図３に示すように、制御手段１０によって、電磁弁Ｖａ、Ｖ１を開状態、電磁弁Ｖｂ、Ｖ２〜Ｖ６を閉状態とするとともに、血液ポンプ２を逆転駆動、補液ポンプ８を正転駆動させる。尚、制御手段１０、血液ポンプ２、補液ポンプ８及び電磁弁Ｖａ、Ｖｂ、Ｖ１〜Ｖ６に対し、バックアップバッテリＢによって独立して電力供給がなされており、その作動及び駆動が可能とされている。また、本実施形態においては、制御手段１０によって電磁弁Ｖ１〜Ｖ６の開閉動作も制御しているが、電磁弁Ｖａ、Ｖｂ以外の開閉動作を他の制御手段（制御手段１０とは別個の手段）で制御するようにしてもよい。
【００５２】
これにより、濾過フィルタ７ａ（上流側の濾過手段）内の透析液が、透析液導入ラインＬ１及び補液ラインＬ３を介して血液回路１の動脈側血液回路１ａに供給されることとなり、その供給された透析液によって血液回路１内の血液が置換され、動脈側穿刺針ａ及び静脈側穿刺針ｂを介して患者の体内に血液が戻される。このとき、血液回路１内の血液が動脈側穿刺針ａ側と静脈側穿刺針ｂ側とで略均等に流れるよう、血液ポンプ２を逆転駆動させている。かかる工程によって、血液回路１内の全ての血液が返血されれば、血液ポンプ２及び補液ポンプ８を停止させ、返血を終了させることができる。
【００５３】
上記工程で血液回路１内の全ての血液が返血されない場合、図４に示すように、制御手段１０によって、電磁弁Ｖｂを開状態、電磁弁Ｖａ、Ｖ１〜Ｖ６を閉状態とするとともに、引き続き血液ポンプ２を逆転駆動、補液ポンプ８を正転駆動させる。これにより、濾過フィルタ７ｂ（下流側の濾過手段）内の透析液が、透析液導入ラインＬ１及び補液ラインＬ３を介して血液回路１の動脈側血液回路１ａに供給されることとなり、その供給された透析液によって血液回路１内の血液が置換され、動脈側穿刺針ａ及び静脈側穿刺針ｂを介して患者の体内に血液が戻される。尚、先の工程と同様、血液回路１内の血液が動脈側穿刺針ａ側と静脈側穿刺針ｂ側とで略均等に流れるよう、血液ポンプ２を逆転駆動させている。
【００５４】
以上、一連の工程が終了した後、制御手段１０によって、電磁弁Ｖｂを閉状態とするとともに血液ポンプ２及び補液ポンプ８を停止させ、返血を終了させる。本実施形態によれば、返血時、濾過フィルタ７ａ、７ｂ（濾過手段）内の透析液を血液回路１側に向かって供給させつつ血液ポンプ２（及び補液ポンプ８）を駆動させることにより、当該濾過フィルタ７ａ、７ｂ内の透析液を利用して返血を行うこができるので、停電などによって装置本体Ａや透析液供給装置等に対する電力供給が停止しても良好に返血させることができる。
【００５５】
特に本実施形態によれば、制御手段１０は、返血時、補液ポンプ８を駆動させることにより補液ラインＬ３を介して濾過フィルタ７ａ、７ｂ（濾過手段）内の透析液を血液回路１側に向かって供給させるので、停電などによって装置本体Ａ等に対する電力供給が停止しても、補液ラインＬ３を利用した返血を行わせることができる。
【００５６】
次に、本発明に係る第２の実施形態に係る血液浄化装置について説明する。同血液浄化装置は、第１の実施形態と同様、血液透析装置に適用されたもので、図５に示すように、動脈側血液回路１ａ及び静脈側血液回路１ｂから成る血液回路１と、血液浄化器としてのダイアライザ４と、透析液導入ラインＬ１及び透析液排出ラインＬ２と、濾過手段としての濾過フィルタ７ａ、７ｂと、空気導入ラインＬａ、Ｌｂと、弁手段としての電磁弁Ｖａ、Ｖｂと、制御手段１０と、補液ポート９とから主に構成されている。尚、第１の実施形態と同様の構成要素には同一の符号を付し、それらの詳細な説明を省略する。
【００５７】
本実施形態においては、透析液導入ラインＬ１における濾過フィルタ７ａ、７ｂ（濾過手段）より下流側の所定部位（濾過フィルタ７ｂと電磁弁Ｖ２との間の部位）に血液回路１（本実施形態においては動脈側血液回路１ａ）の先端を接続可能な補液ポート９を具備するとともに、制御手段１０は、返血時、当該補液ポート９に接続した血液回路１（即ち、動脈側血液回路１ａ）を介して濾過フィルタ７ａ、７ｂ（濾過手段）内の透析液を血液回路１側に向かって供給させるよう構成されている。
【００５８】
然るに、本発明において「透析液導入ライン又は濾過手段（濾過フィルタ）内の透析液を血液回路１側に向かって供給させる」とは、透析液導入ラインＬ１又は濾過手段（濾過フィルタ７ａ、７ｂ）内の透析液を血液回路１内に供給（導入）させるものと、透析液導入ラインＬ１又は濾過手段（濾過フィルタ７ａ、７ｂ）内の透析液を血液回路１に向かって流動させ、透析液導入ライン又は濾過手段より血液回路１側の流路（例えばダイアライザ４内の透析液側流路や補液ラインＬ３或いはプライミング液供給ライン等、透析液導入ラインＬ１又は濾過手段とは異なる部位）にある透析液を血液回路１内には供給させるものとの両者を含む。
【００５９】
より具体的には、停電などにより装置本体Ａやその上流側の透析液供給装置等に対する電力供給が停止した状態において、血液回路１（動脈側血液回路１ａ及び静脈側血液回路１ｂ）内の血液を患者の体内に戻す返血時、図５で示すように、動脈側穿刺針ａを取り外した動脈側血液回路１ａの先端を補液ポート９に接続する。そして、図６に示すように、制御手段１０によって、電磁弁Ｖａ、Ｖ１を開状態、電磁弁Ｖｂ、Ｖ２〜Ｖ６を閉状態とするとともに、血液ポンプ２を正転駆動させる。尚、第１の実施形態と同様、制御手段１０、血液ポンプ２、補液ポンプ８及び電磁弁Ｖａ、Ｖｂ、Ｖ１〜Ｖ６に対し、バックアップバッテリＢによって独立して電力供給がなされており、その作動及び駆動が可能とされている。
【００６０】
これにより、濾過フィルタ７ａ（上流側の濾過手段）内の透析液が、補液ポート９を介して透析液導入ラインＬ１から血液回路１の動脈側血液回路１ａに供給されることとなり、その供給された透析液によって血液回路１内の血液が置換され、静脈側穿刺針ｂを介して患者の体内に血液が戻される。かかる工程によって、血液回路１内の全ての血液が返血されれば、血液ポンプ２を停止させ、返血を終了させることができる。
【００６１】
上記工程で血液回路１内の全ての血液が返血されない場合、図７に示すように、制御手段１０によって、電磁弁Ｖｂを開状態、電磁弁Ｖａ、Ｖ１〜Ｖ６を閉状態とするとともに、引き続き血液ポンプ２を正転駆動させる。これにより、濾過フィルタ７ｂ（下流側の濾過手段）内の透析液が、補液ポート９を介して血液回路１の動脈側血液回路１ａに供給されることとなり、その供給された透析液によって血液回路１内の血液が置換され、静脈側穿刺針ｂを介して患者の体内に血液が戻される。
【００６２】
以上、一連の工程が終了した後、制御手段１０によって、電磁弁Ｖｂを閉状態とするとともに血液ポンプ２を停止させ、返血を終了させる。本実施形態によれば、返血時、濾過フィルタ７ａ、７ｂ（濾過手段）内の透析液を血液回路１側に向かって供給させつつ血液ポンプ２を駆動させることにより、当該濾過フィルタ７ａ、７ｂ内の透析液を利用して返血を行うこができるので、停電などによって装置本体Ａや透析液供給装置等に対する電力供給が停止しても良好に返血させることができる。
【００６３】
特に本実施形態によれば、制御手段１０は、返血時、補液ポート９に接続した血液回路１（動脈側血液回路１ａ）を介して濾過フィルタ７ａ、７ｂ（濾過手段）内の透析液を血液回路１側に向かって供給させるので、停電などによって装置本体Ａ等に対する電力供給が停止しても、補液ポート９を利用した返血を行わせることができる。尚、本実施形態においては、動脈側血液回路１ａの先端を補液ポート９に接続させているが、静脈側血液回路１ｂの先端を補液ポート９に接続させつつ血液ポンプ２を逆転駆動させるようにしてもよい。
【００６４】
次に、本発明に係る第３の実施形態に係る血液浄化装置について説明する。同血液浄化装置は、第１、２の実施形態と同様、血液透析装置に適用されたもので、図８に示すように、動脈側血液回路１ａ及び静脈側血液回路１ｂから成る血液回路１と、血液浄化器としてのダイアライザ４と、透析液導入ラインＬ１及び透析液排出ラインＬ２と、濾過手段としての濾過フィルタ７ａ、７ｂと、空気導入ラインＬａ、Ｌｂと、弁手段としての電磁弁Ｖａ、Ｖｂと、制御手段１０とから主に構成されている。尚、第１、２の実施形態と同様の構成要素には同一の符号を付し、それらの詳細な説明を省略する。
【００６５】
本実施形態においては、制御手段１０は、返血時、ダイアライザ４（血液浄化器）の透析液流路から血液流路に向かって透析液を流動させる逆濾過を行わせ、当該逆濾過によって濾過フィルタ７ａ、７ｂ（濾過手段）内の透析液を血液回路１側に向かって供給させるよう構成されている。尚、逆濾過は、バックアップバッテリＢにて電力供給された血液ポンプ２を駆動させることにより行われる。
【００６６】
より具体的には、停電などにより装置本体Ａやその上流側の透析液供給装置等に対する電力供給が停止した状態において、血液回路１（動脈側血液回路１ａ及び静脈側血液回路１ｂ）内の血液を患者の体内に戻す返血時、図９に示すように、制御手段１０によって、電磁弁Ｖａ、Ｖ１及びＶ２を開状態、電磁弁Ｖｂ、Ｖ３〜Ｖ６を閉状態とするとともに、血液ポンプ２を逆転駆動させる。また、本実施形態においては、静脈側血液回路１ｂの先端側（静脈側穿刺針ｂの取付位置近傍）に配設されたクランプ手段Ｋを閉状態とし、その流路を閉塞した状態とされている。尚、第１、２の実施形態と同様、制御手段１０、血液ポンプ２、補液ポンプ８及び電磁弁Ｖａ、Ｖｂ、Ｖ１〜Ｖ６に対し、バックアップバッテリＢによって独立して電力供給がなされており、その作動及び駆動が可能とされている。
【００６７】
これにより、濾過フィルタ７ａ（上流側の濾過手段）内の透析液が、逆濾過によってダイアライザ４を介して透析液導入ラインＬ１から血液回路１に供給されることとなり、その供給された透析液によって血液回路１内の血液が置換され、静脈側穿刺針ａを介して患者の体内に血液が戻される。かかる工程によって、動脈側血液回路１ａ内の全ての血液が返血されれば、血液ポンプ２を停止させ、返血を終了させることができる。
【００６８】
上記工程で血液回路１内の全ての血液が返血されない場合、図１０に示すように、制御手段１０によって、電磁弁Ｖｂ、Ｖ２を開状態、電磁弁Ｖａ、Ｖ１、Ｖ３〜Ｖ６を閉状態とするとともに、引き続き血液ポンプ２を逆転駆動させる。これにより、濾過フィルタ７ｂ（下流側の濾過手段）内の透析液が、逆濾過によってダイアライザ４を介して血液回路１に供給されることとなり、その供給された透析液によって血液回路１内の血液が置換され、静脈側穿刺針ａを介して患者の体内に血液が戻される。
【００６９】
以上、一連の工程が終了した後、制御手段１０によって、電磁弁Ｖｂ、Ｖ２を閉状態とするとともに血液ポンプ２を停止させ、返血を終了させる。本実施形態によれば、返血時、濾過フィルタ７ａ、７ｂ（濾過手段）内の透析液を血液回路１側に向かって供給させつつ血液ポンプ２を駆動させることにより、当該濾過フィルタ７ａ、７ｂ内の透析液を利用して返血を行うこができるので、停電などによって装置本体Ａや透析液供給装置等に対する電力供給が停止しても良好に返血させることができる。
【００７０】
特に本実施形態によれば、制御手段１０は、返血時、ダイアライザ４（血液浄化器）の透析液流路から血液流路に向かって透析液を流動させる逆濾過を行わせ、当該逆濾過によって濾過フィルタ７ａ、７ｂ（濾過手段）内の透析液を血液回路１側に向かって供給させるので、第１、２の実施形態の如く補液ラインや補液ポートを有さない血液浄化装置に適用した場合であっても、停電などによって装置本体Ａ等に対する電力供給が停止しても良好に返血させることができる。
【００７１】
次に、本発明に係る第４の実施形態に係る血液浄化装置について説明する。同血液浄化装置は、第１〜３の実施形態と同様、血液透析装置に適用されたもので、図１１に示すように、動脈側血液回路１ａ及び静脈側血液回路１ｂから成る血液回路１と、血液浄化器としてのダイアライザ４と、透析液導入ラインＬ１及び透析液排出ラインＬ２と、プライミング液供給ラインＬ８と、濾過手段としての濾過フィルタ７ａ、７ｂと、空気導入ラインＬａ、Ｌｂと、弁手段としての電磁弁Ｖａ、Ｖｂと、制御手段１０と、補液ポート９とから主に構成されている。尚、第１〜３の実施形態と同様の構成要素には同一の符号を付し、それらの詳細な説明を省略する。
【００７２】
本実施形態においては、透析液導入ラインＬ１における濾過フィルタ７ａ、７ｂ（濾過手段）より下流側の所定部位（濾過フィルタ７ｂと電磁弁Ｖ２との間の部位）にプライミング液供給ラインＬ８の基端を接続可能な補液ポート９を具備するとともに、制御手段１０は、返血時、当該補液ポート９に接続したプライミング液供給ラインＬ８を介して濾過フィルタ７ａ、７ｂ（濾過手段）内の透析液を血液回路１側に向かって供給させるよう構成されている。
【００７３】
プライミング液供給ラインＬ８は、濾過フィルタ７ａ、７ｂ（濾過手段）より下流側の所定部位（濾過フィルタ７ｂと電磁弁Ｖ２との間の部位）と血液回路１（動脈側血液回路１ａ）における血液ポンプ２の配設位置より上流側（動脈側穿刺針ａが取り付けられる先端側）との間に接続された流路から成り、プライミング時、プライミング液（生理食塩液や透析液）を当該血液回路１（動脈側血液回路１ａ）に供給可能なものである。
【００７４】
より具体的には、停電などにより装置本体Ａやその上流側の透析液供給装置等に対する電力供給が停止した状態において、血液回路１（動脈側血液回路１ａ及び静脈側血液回路１ｂ）内の血液を患者の体内に戻す返血時、図１１で示すように、プライミング液供給ラインＬ７の基端を補液ポート９に接続する。そして、図１２に示すように、制御手段１０によって、電磁弁Ｖａ、Ｖ１を開状態、電磁弁Ｖｂ、Ｖ２〜Ｖ６を閉状態とするとともに、血液ポンプ２を正転駆動させる。
【００７５】
また、本実施形態においては、動脈側血液回路１ａの先端側（動脈側穿刺針ａの取付位置近傍）に配設されたクランプ手段Ｋを閉状態とし、その流路を閉塞した状態とされているとともに、返血時においては、プライミング液供給ラインＬ８の途中に配設されたクランプ手段Ｊを開状態とし、その流路を開放した状態とされている。尚、第１〜３の実施形態と同様、制御手段１０、血液ポンプ２、及び電磁弁Ｖａ、Ｖｂ、Ｖ１〜Ｖ６に対し、バックアップバッテリＢによって独立して電力供給がなされており、その作動及び駆動が可能とされている。
【００７６】
これにより、濾過フィルタ７ａ（上流側の濾過手段）内の透析液が、補液ポート９及びプライミング液供給ラインＬ８を介して透析液導入ラインＬ１から血液回路１の動脈側血液回路１ａに供給されることとなり、その供給された透析液によって血液回路１内の血液が置換され、静脈側穿刺針ｂを介して患者の体内に血液が戻される。かかる工程によって、血液回路１内の全て（厳密には、クランプ手段Ｋより下流側の流路の全て）の血液が返血されれば、血液ポンプ２を停止させ、返血を終了させることができる。
【００７７】
上記工程で血液回路１内の全ての血液が返血されない場合、図１３に示すように、制御手段１０によって、電磁弁Ｖｂを開状態、電磁弁Ｖａ、Ｖ１〜Ｖ６を閉状態とするとともに、引き続き血液ポンプ２を正転駆動させる。これにより、濾過フィルタ７ｂ（下流側の濾過手段）内の透析液が、補液ポート９及びプライミング液供給ラインＬ８を介して血液回路１の動脈側血液回路１ａに供給されることとなり、その供給された透析液によって血液回路１内の血液が置換され、静脈側穿刺針ｂを介して患者の体内に血液が戻される。
【００７８】
以上、一連の工程が終了した後、制御手段１０によって、電磁弁Ｖｂを閉状態とするとともに血液ポンプ２を停止させ、返血を終了させる。本実施形態によれば、返血時、濾過フィルタ７ａ、７ｂ（濾過手段）内の透析液を血液回路１側に向かって供給させつつ血液ポンプ２を駆動させることにより、当該濾過フィルタ７ａ、７ｂ内の透析液を利用して返血を行うこができるので、停電などによって装置本体Ａや透析液供給装置等に対する電力供給が停止しても良好に返血させることができる。
【００７９】
特に本実施形態によれば、制御手段１０は、返血時、補液ポート９に接続した血液回路１（動脈側血液回路１ａ）を介して濾過フィルタ７ａ、７ｂ（濾過手段）内の透析液を血液回路１側に向かって供給させるので、停電などによって装置本体Ａ等に対する電力供給が停止しても、補液ポート９及びプライミング液供給ラインＬ８を利用した返血を行わせることができる。尚、本実施形態においては、プライミング液供給ラインＬ８にクランプ手段Ｊを設けているが、当該クランプ手段Ｊに代え或いは当該クランプ手段Ｊと共に補液ポンプ等を配設するようにしてもよい。
【００８０】
次に、本発明に係る第５の実施形態に係る血液浄化装置について説明する。同血液浄化装置は、第１〜４の実施形態と同様、血液透析装置に適用されたもので、図１４に示すように、動脈側血液回路１ａ及び静脈側血液回路１ｂから成る血液回路１と、血液浄化器としてのダイアライザ４と、透析液導入ラインＬ１及び透析液排出ラインＬ２と、プライミング液供給ラインＬ８と、補液ポンプ８と、濾過手段としての濾過フィルタ７ａ、７ｂと、空気導入ラインＬａ、Ｌｂと、弁手段としての電磁弁Ｖａ、Ｖｂと、制御手段１０と、補液ポート９とから主に構成されている。尚、第１〜４の実施形態と同様の構成要素には同一の符号を付し、それらの詳細な説明を省略する。
【００８１】
本実施形態においては、透析液導入ラインＬ１における濾過フィルタ７ａ、７ｂ（濾過手段）より下流側の所定部位（濾過フィルタ７ｂと電磁弁Ｖ２との間の部位）にプライミング液供給ラインＬ８の基端を接続可能な補液ポート９を具備するとともに、制御手段１０は、返血時、補液ポンプ８を駆動させることにより、当該補液ポート９に接続したプライミング液供給ラインＬ８を介して濾過フィルタ７ａ、７ｂ（濾過手段）内の透析液を血液回路１側に向かって供給させるよう構成されている。
【００８２】
プライミング液供給ラインＬ８は、濾過フィルタ７ａ、７ｂ（濾過手段）より下流側の所定部位（濾過フィルタ７ｂと電磁弁Ｖ２との間の部位）と血液回路１（動脈側血液回路１ａ）における血液ポンプ２の配設位置より上流側（動脈側穿刺針ａが取り付けられる先端側）との間に接続された流路から成るとともに、その途中に補液ポンプ８が配設されており、プライミング時、当該補液ポンプ８を駆動させることにより、プライミング液（生理食塩液や透析液）を当該血液回路１（動脈側血液回路１ａ）に供給可能なものである。
【００８３】
より具体的には、停電などにより装置本体Ａやその上流側の透析液供給装置等に対する電力供給が停止した状態において、血液回路１（動脈側血液回路１ａ及び静脈側血液回路１ｂ）内の血液を患者の体内に戻す返血時、図１４で示すように、プライミング液供給ラインＬ７の基端を補液ポート９に接続する。そして、図１５に示すように、制御手段１０によって、電磁弁Ｖａ、Ｖ１を開状態、電磁弁Ｖｂ、Ｖ２〜Ｖ６を閉状態とするとともに、血液ポンプ２及び補液ポンプ８を正転駆動させる。
【００８４】
このとき、制御手段１０によって、補液ポンプ８の駆動による流量の方が血液ポンプ２の駆動による流量よりも大きくなるよう設定、或いは血液ポンプ２を停止させつつ補液ポンプ８を駆動させるよう制御されており、動脈側穿刺針ａ及び静脈側穿刺針ｂの両方から返血が行われるようになっている。また、本実施形態においては、動脈側血液回路１ａの先端側（動脈側穿刺針ａの取付位置近傍）に配設されたクランプ手段Ｋを閉状態とし、その流路を閉塞した状態とされている。尚、第１〜４の実施形態と同様、制御手段１０、血液ポンプ２、補液ポンプ８及び電磁弁Ｖａ、Ｖｂ、Ｖ１〜Ｖ６に対し、バックアップバッテリＢによって独立して電力供給がなされており、その作動及び駆動が可能とされている。
【００８５】
これにより、濾過フィルタ７ａ（上流側の濾過手段）内の透析液が、補液ポート９及びプライミング液供給ラインＬ８を介して透析液導入ラインＬ１から血液回路１の動脈側血液回路１ａに供給されることとなり、その供給された透析液によって血液回路１内の血液が置換され、動脈側穿刺針ａ及び静脈側穿刺針ｂを介して患者の体内に血液が戻される。かかる工程によって、血液回路１内の全ての血液が返血されれば、血液ポンプ２を停止させ、返血を終了させることができる。
【００８６】
上記工程で血液回路１内の全ての血液が返血されない場合、図１６に示すように、制御手段１０によって、電磁弁Ｖｂを開状態、電磁弁Ｖａ、Ｖ１〜Ｖ６を閉状態とするとともに、引き続き血液ポンプ２及び補液ポンプ８を正転駆動させる。これにより、濾過フィルタ７ｂ（下流側の濾過手段）内の透析液が、補液ポート９及びプライミング液供給ラインＬ８を介して血液回路１の動脈側血液回路１ａに供給されることとなり、その供給された透析液によって血液回路１内の血液が置換され、動脈側穿刺針ａ及び静脈側穿刺針ｂを介して患者の体内に血液が戻される。
【００８７】
以上、一連の工程が終了した後、制御手段１０によって、電磁弁Ｖｂを閉状態とするとともに血液ポンプ２を停止させ、返血を終了させる。本実施形態によれば、返血時、濾過フィルタ７ａ、７ｂ（濾過手段）内の透析液を血液回路１側に向かって供給させつつ血液ポンプ２を駆動させることにより、当該濾過フィルタ７ａ、７ｂ内の透析液を利用して返血を行うこができるので、停電などによって装置本体Ａや透析液供給装置等に対する電力供給が停止しても良好に返血させることができる。
【００８８】
特に本実施形態によれば、制御手段１０は、返血時、補液ポート９に接続した血液回路１（動脈側血液回路１ａ）を介して濾過フィルタ７ａ、７ｂ（濾過手段）内の透析液を血液回路１側に向かって供給させるので、停電などによって装置本体Ａ等に対する電力供給が停止しても、補液ポート９及びプライミング液供給ラインＬ８を利用した返血を行わせることができる。
【００８９】
上記第１〜５の実施形態によれば、血液ポンプ２は、独立して電力供給可能なバックアップバッテリＢで駆動可能とされたので、装置本体Ａ等に対する電力供給が停止しても制御手段１０による血液ポンプ２（更には、電磁弁Ｖａ、Ｖｂ、Ｖ１〜Ｖ６や補液ポンプ８も同様）の駆動を確実に行わせることができ、停電などによって電力供給が停止した場合において、より良好な返血を行わせることができる。尚、上記第１〜５の実施形態によれば、停電時に限らず、例えば透析液供給装置や複式ポンプ５等の透析液を血液回路側に送るアクチュエータが故障したことなどに起因して、血液浄化装置（特に、透析液導入ライン）に対する透析液の供給が停止してしまったときでも、より良好な返血を行わせることができる。
【００９０】
更に、制御手段１０は、返血時、電磁弁Ｖａ、Ｖｂ（弁手段）を動作させて空気導入ラインＬａ、Ｌｂの流路を開状態とする（これら電磁弁Ｖａ、Ｖｂ及び空気導入ラインＬａ、Ｌｂは、既存の血液透析装置に通常配設されている）ので、当該制御手段１０によって濾過フィルタ７ａ、７ｂ（濾過手段）内の透析液を血液回路１側に向かって供給させる際、既存の装置構成を流用しつつ、より確実且つスムーズな透析液の供給を行わせて返血させることができる。
【００９１】
また更に、濾過フィルタ７ａ、７ｂ（濾過手段）は、透析液導入ラインＬ１において複数（２つ）接続されるとともに、各濾過フィルタ（７ａ、７ｂ）（濾過手段）より上流側から電磁弁Ｖａ、Ｖｂ（弁手段）を有した空気導入ラインＬａ、Ｌｂがそれぞれ延設されたので、当該制御手段１０によって濾過フィルタ７ａ、７ｂ内の透析液を血液回路１側に向かって供給させる際、より大量の透析液を血液回路１に供給させることができ、一層確実に返血を行わせることができる。
【００９２】
また、制御手段１０は、透析液導入ラインＬ１に接続された複数の空気導入ライン（Ｌａ、Ｌｂ）のうち上流側に接続されたものから順に開状態とさせるので、大量の透析液を血液回路１に供給させることができるとともに確実且つスムーズに透析液の血液回路１に対する供給を行わせることができる。即ち、透析液導入ラインＬ１に接続された複数の空気導入ライン（Ｌａ、Ｌｂ）のうち下流側に接続されたものから順に開状態とさせる場合、上流側の空気導入ラインを開状態とした際、下流側の空気導入ラインから既に導入した空気が邪魔となってスムーズな透析液の供給を行うことができないのに対し、本実施形態によれば、当該不具合を回避できるのである。
【００９３】
以上、本実施形態について説明したが、本発明はこれらに限定されず、返血時、透析液導入ライン内の透析液を血液回路１側に向かって供給させつつ血液ポンプ２を駆動（又は手動にて動作）させるものであれば、濾過手段としての濾過フィルタを具備しないものに適用することができる。然るに、濾過フィルタ（７ａ、７ｂ）（濾過手段）を具備したものにあっては、血液回路１内の血液を患者の体内に戻す返血時、当該濾過フィルタ（７ａ、７ｂ）（濾過手段）内の透析液を血液回路１側に向かって供給させつつ血液ポンプ２を駆動させる制御手段１０を備えたものであれば、空気導入ラインＬａ及び空気導入ラインＬｂを具備しないものであってもよい。この場合、返血時において例えば電磁弁Ｖ４とＶ６或いは電磁弁Ｖ５とＶ６を開状態としつつ血液ポンプ２を駆動させれば、上記実施形態と同様、濾過フィルタ７ａ、７ｂ（濾過手段）内の透析液を血液回路１側に向かって供給させることができる。
【００９４】
また、上記実施形態においては、濾過フィルタ７ａ、７ｂ（濾過手段）は、透析液導入ラインＬ１において２つ接続されるとともに、各濾過フィルタ７ａ、７ｂより上流側から弁手段としての電磁弁Ｖａ、Ｖｂを有した空気導入ラインＬａ、Ｌｂがそれぞれ延設されているが、濾過フィルタ（濾過手段）を透析液導入ラインＬ１において１つのみ（単一）接続されたものとし、その濾過フィルタより上流側から弁手段としての電磁弁を有した空気導入ラインが延設されたもの、若しくは濾過フィルタ（濾過手段）を透析液導入ラインＬ１において３つ以上接続されたものとし、その各濾過フィルタより上流側から弁手段としての電磁弁を有した空気導入ラインがそれぞれ延設されたものとしてもよい。
【００９５】
更に、濾過フィルタ（濾過手段）は、図２で示したものに限定されず、例えば図１７で示した形態としてもよい。図１７で示す濾過フィルタは、濾過膜Ｉとしての複数の中空糸を内在した筒状のハウジングＨと、ハウジングＨの端面に形成されて被濾過透析液を濾過膜Ｉ内に導入及びバイパスラインに導出するポートＰ１、ポートＰ２と、ハウジングＨの側面に形成されて濾過膜Ｉを通過した濾過透析液を導出するポートＰ３とを有したものである。かかる濾過フィルタによれば、濾過膜Ｉ内が被濾過透析液を流動させる１次室、濾過膜Ｉの外周面とハウジングＨの内周面との間の空間が濾過透析液を流動させる２次室となり、当該濾過膜Ｉを透析液が通過することにより濾過されるようになっている。
【００９６】
また更に、本実施形態においては、何れも血液ポンプ２や補液ポンプ８が独立して電力供給可能なバックアップバッテリＢで駆動可能とされて返血時に当該バックアップバッテリＢで駆動するものであるが、これに代えて停電時や装置の故障時等において手動で動作可能とされ、返血時、透析液導入ラインＬ１内の透析液を血液回路１側に向かって供給させつつ血液ポンプ２或いは補液ポンプ８を手動にて動作させ得るよう構成してもよい。
【００９７】
尚、本実施形態においては何れも血液透析装置に適用されているが、体外循環する患者の血液を浄化するための他の血液浄化装置に適用することができる。また、本実施形態においては何れも透析用監視装置（透析液の作製機能がないもの）に適用されているが、個人用透析装置（透析液の作製機能があるもの）にも適用することができる。
【産業上の利用可能性】
【００９８】
血液回路内の血液を患者の体内に戻す返血時、弁手段を動作させて空気導入ラインの流路を開状態とするとともに、透析液導入ライン内の透析液を血液回路側に向かって供給させつつ血液ポンプを駆動又は動作させ、且つ、透析液導入ラインにおいて当該透析液導入ラインを流れる透析液を濾過して浄化するための濾過手段が複数接続されるとともに、各濾過手段より上流側から弁手段を有した空気導入ラインがそれぞれ延設された血液浄化装置であれば、他の機能が付与されたもの等にも適用することができる。
【符号の説明】
【００９９】
１  血液回路
１ａ  動脈側血液回路
１ｂ  静脈側血液回路
２  血液ポンプ
３  エアトラップチャンバ
４  ダイアライザ（血液浄化器）
５  複式ポンプ
６  除水ポンプ
７ａ、７ｂ  濾過フィルタ（濾過手段）
８  補液ポンプ
９  補液ポート
１０  制御手段
Ｌ１  透析液導入ライン
Ｌ２  透析液排出ライン
Ｌ３  補液ライン
Ｌ８  プライミング液供給ライン
Ｖ１〜Ｖ６  電磁弁
Ｖａ、Ｖｂ  電磁弁（弁手段）
Ｌａ、Ｌｂ  空気導入ライン
Ｂ  バックアップバッテリ
【図１】
0005693890.tif 000002
【図２】
0005693890.tif 000003
【図３】
0005693890.tif 000004
【図４】
0005693890.tif 000005
【図５】
0005693890.tif 000006
【図６】
0005693890.tif 000007
【図７】
0005693890.tif 000008
【図８】
0005693890.tif 000009
【図９】
0005693890.tif 000010
【図１０】
0005693890.tif 000011
【図１１】
0005693890.tif 000012
【図１２】
0005693890.tif 000013
【図１３】
0005693890.tif 000014
【図１４】
0005693890.tif 000015
【図１５】
0005693890.tif 000016
【図１６】
0005693890.tif 000017
【図１７】
0005693890.tif 000018